(57)【要約】【課題】  サッシ納まりをより高い精度で効率よく測定できるサッシ納まり測定治具の提供。【解決手段】  上枠１と障子２ａ，２ｂとの隙間８に差し込むことで障子２ａ，２ｂの上枠１との掛かり代Ｃを測定する掛かり代測定部３と、下枠４の室外側端部と室内側端部に当接して下枠４上に載置することで水準器５を載置するための水準器載置部６とを有する。【選択図】      図１
2017125308.tif 000002
【特許請求の範囲】
【請求項１】
上枠と障子との隙間に差し込むことで障子の上枠との掛かり代を測定する掛かり代測定部と、下枠の室外側端部と室内側端部に当接して下枠上に載置することで水準器を載置するための水準器載置部とを有することを特徴とするサッシ納まり測定治具。
【請求項２】
上枠と障子との隙間に差し込むことで障子の上枠との掛かり代を測定する掛かり代測定部を有し、掛かり代測定部は、先端部から末端部にかけて上下方向の厚みが段々に厚くなるように形成してあることを特徴とするサッシ納まり測定治具。
【発明の詳細な説明】
【技術分野】
【０００１】
本発明は、サッシの納まりを測定するために用いられるサッシ納まり測定治具に関する。
【背景技術】
【０００２】
従来のサッシの検査は、図６（ａ）に示すように、工場において枠９０の幅寸法Ｗと高さ寸法Ｈをそれぞれ両端部と中央部で測定し、枠９０のはらみ（横枠又は縦枠の長手方向中央部が外周側に膨らんだ状態）やつづみ（横枠又は縦枠の長手方向中央部が内周側に凹んだ状態）が無いことを確認する検査を行い、さらに枠９０を建築現場で躯体に取付けた後に、図６（ｂ）に示すように、レーザー光による水平な基準線９１からの下枠９２の距離Ｙと、下げ振りによる垂直な基準線９３からの縦枠９４の距離Ｘをそれぞれ両端部と中央部で測定することで、枠９０のはらみやつづみが無いことを再度確認している。しかし、サッシには様々な納まりがあることなどから、かかる検査だけでは十分とは言えず、サッシ施工後の自主検査においてサッシ納まりをより高い精度で効率よく測定する専用の治具が求められていた。
【発明の概要】
【発明が解決しようとする課題】
【０００３】
本発明は以上に述べた実情に鑑み、サッシ納まりをより高い精度で効率よく測定できるサッシ納まり測定治具の提供を目的とする。
【課題を解決するための手段】
【０００４】
上記の課題を達成するために請求項１記載の発明によるサッシ納まり測定治具は、上枠と障子との隙間に差し込むことで障子の上枠との掛かり代を測定する掛かり代測定部と、下枠の室外側端部と室内側端部に当接して下枠上に載置することで水準器を載置するための水準器載置部とを有することを特徴とする。
【０００５】
請求項２記載の発明によるサッシ納まり測定治具は、上枠と障子との隙間に差し込むことで障子の上枠との掛かり代を測定する掛かり代測定部を有し、掛かり代測定部は、先端部から末端部にかけて上下方向の厚みが段々に厚くなるように形成してあることを特徴とする。
【発明の効果】
【０００６】
請求項１記載の発明によるサッシ納まり測定治具は、上枠と障子との隙間に差し込むことで障子の上枠との掛かり代を測定する掛かり代測定部と、下枠の室外側端部と室内側端部に当接して下枠上に載置することで水準器を載置するための水準器載置部とを有するので、一つの治具を使用して障子の上枠との掛かり代と、下枠の転び（室外側への傾き）とを高い精度で効率よく測定でき、しかもいかなる納まりにも対応できるので、大変便利である。
【０００７】
請求項２記載の発明によるサッシ納まり測定治具は、上枠と障子との隙間に差し込むことで障子の上枠との掛かり代を測定する掛かり代測定部を有し、掛かり代測定部は、先端部から末端部にかけて上下方向の厚みが段々に厚くなるように形成してあるので、掛かり代測定部を上枠と障子との隙間に差し込むだけで、障子の上枠との掛かり代を高い精度で効率よく測定でき、しかもいかなる納まりにも対応できるので、大変便利である。
【図面の簡単な説明】
【０００８】
【図１】（ａ）は障子の上枠との掛かり代を測定する際の本発明のサッシ納まり測定治具の使用状態を示す側面図であり、（ｂ）は同室内側正面図である。
【図２】サッシの室内側正面図であって、本発明のサッシ納まり測定治具を使用して障子の上枠との掛かり代を測定しているときの状態を示す。
【図３】掛かり代測定部の差し込み深さと障子の上枠との掛かり代との関係を示す正面図と側面図である。
【図４】下枠の転びを測定する際の本発明のサッシ納まり測定治具の使用状態を示す側面図である。
【図５】サッシの室内側正面図であって、本発明のサッシ納まり測定治具を使用して下枠の転びを測定しているときの状態を示す。
【図６】従来行っていたサッシの検査を示す正面図である。
【発明を実施するための形態】
【０００９】
以下、本発明の実施の形態を図面に基づいて説明する。図１は、本発明に係るサッシ納まり測定治具７の一実施形態であって、障子の上枠との掛かり代を測定するときの状態を示している。本サッシ納まり測定治具７は、硬質樹脂で一体成形したものであって、上枠１と障子２ａ，２ｂとの隙間８に差し込むことで障子２ａ，２ｂの上枠１との掛かり代を測定する掛かり代測定部３と、掛かり代測定部３の末端部より下方に垂下した垂下部９とを有する、略Ｌ字形に形成されている。掛かり代とは、障子２ａ，２ｂが上枠１と見込み方向に重なる部分の上下寸法のことであり、図１中のＣ寸法のことである。
【００１０】
掛かり代測定部３は、図１（ｂ）に示すように、先端部と末端部の上面に上枠１の天面１０に当接する上枠当接部１１ａ，１１ｂを有すると共に、先端部から末端部にかけて上下方向の厚みが段々に厚くなるように、下面側に複数の障子当接部１２ａ，１２ｂ，１２ｃ，１２ｄが階段状に形成されている。図示のものは、障子当接部１２ａ，１２ｂ，１２ｃ，１２ｄが４段形成してあり、各段の段差はそれぞれ１ｍｍとなっている。２〜４段目の障子当接部１２ｂ，１２ｃ，１２ｄには、目印のための溝２３が、２段目の障子当接部１２ｂに２本、３段目の障子当接部１２ｃに３本、４段目の障子当接部１２ｄに４本それぞれ形成してあり、溝２３が何本あるかで何段目の障子当接部かが判別できるようにしてある。
垂下部９は、掛かり代測定部３の末端部より下方に垂直に垂下し、垂下部９の下端部には掛かり代測定部３と同じ方向に突出する突出部１９を有している。
【００１１】
本サッシ納まり測定治具７を用いて、サッシの障子１２ａ，１２ｂの上枠１との掛かり代を測定する方法を説明する。図１，２に図示したサッシは、一例としてビル用の引違いサッシを示しており、このサッシは上枠１と下枠４と左右の縦枠１３，１３とを枠組みした枠１４内に、外障子２ａと内障子２ｂとを引違い状に開閉自在に納めたものである。上枠１は、図１（ａ）に示すように、外障子２ａを案内するレール１５と、中間垂下片１６及び室内側垂下片１７を有し、外障子２ａの上部が上枠１のレール１５に案内され、内障子２ｂの上部が上枠１の中間垂下片１６と室内側垂下片１７の間の溝１８に案内されている。
外障子２ａの上枠１（のレール１５）との掛かり代を測定する際には、図１（ｂ）と図２に示すように、外障子２ａを開け、垂下部９を手で持って外障子２ａの戸先側から本サッシ納まり測定治具７の掛かり代測定部３を上枠１の天面１０と外障子２ａとの間の隙間８に差し入れる。図１に示すように、上枠１のレール１５の高さＡは所定の決まった寸法であり、掛かり代測定部３には先端部から末端部にかけて上下方向の厚みが段々に厚くなるように複数の障子当接部１２ａ，１２ｂ，１２ｃ，１２ｄが階段状に形成してあるので、掛かり代測定部３をどこまで差し込めるかで上枠１の天面１０と外障子２ａ間の隙間８の大きさＢを測定でき、レール１５の高さＡから前記隙間８の大きさＢを引いた寸法Ｃが、外障子２ａの上枠１との掛かり代となる。
【００１２】
図３は、具体的な測定状態の例を示している。図３（ａ）は、１段目の障子当接部１２ａさえも差し込めない状態であり、このときには障子２ａの上枠１との掛かり代Ｃが通常より大きいことになる。図３（ｂ）は１段目の障子当接部１２ａまで差し込める状態、図３（ｃ）は２段目の障子当接部１２ｂまで差し込める状態、図３（ｄ）は３段目の障子当接部１２ｃまで差し込める状態であり、これらの状態になるときは障子２ａの上枠１との掛かり代Ｃが適正な範囲にある。図３（ｅ）は、４段目の障子当接部１２ｄまで差し込める状態であり、このときには障子２ａの上枠１との掛かり代Ｃが適正な値よりも小さいことになる。なお、このときには垂下部９の下端部に設けた突出部１９の先端が障子２ａの縦框２０に当接する。
【００１３】
以上に述べたように、本サッシ納まり測定治具７を使用すれば、掛かり代測定部３を上枠１と障子２ａの隙間８に差し込み、掛かり代測定部３がどこまで深く差し込めるかを見るだけで、障子２ａの上枠１との掛かり代Ｃが適正かどうか瞬時に確認することができる。
なお、ここでは外障子２ａの上枠１のレール１５との掛かり代Ｃを測定する場合について述べたが、内障子２ｂの上枠１との掛かり代Ｃも、内障子２ｂを開けて内障子２ｂの戸先側から本サッシ納まり測定治具７の掛かり代測定部３を上枠１と内障子２ｂとの隙間に差し込むことで、同様に測定することができる。障子２ａ，２ｂの戸尻側（召合せ側）から掛かり代測定部３を差し込んで掛かり代Ｃを測定することもできる。
【００１４】
本サッシ納まり測定治具７は、上述のように障子２ａ，２ｂの上枠１との掛かり代を簡単に測定できることに加え、下枠４の転びの有無を確認するための治具としても用いることができる。下枠４の転びとは、下枠４が室外側に傾き、下枠４が前垂れする状態のことをいう。図４，５は、下枠４の転びを測定するときの本サッシ納まり測定治具７の使用状態を示しており、掛かり代を測定するときとは本サッシ納まり測定治具７を９０°回転させ、掛かり代測定部３の先端３ａを下枠４の室外側端部に形成された網戸レール２１上に、垂下部９の突出部１０の先端１９ａを下枠４の室内側端部に形成されたアングル２２上にそれぞれ当接させて、本サッシ納まり測定治具７を下枠４上に載置すると、垂下部９の上面が水準器載置部６となり、下枠４に転びが全く無いときに水準器載置部６が水平になるようにしてあり、水準器載置部６に水準器５を載せることで、下枠４の転びを測定できる。
【００１５】
以上に述べたように本サッシ納まり測定治具７は、上枠１と障子２ａ，２ｂとの隙間８に差し込むことで障子２ａ，２ｂの上枠１との掛かり代Ｃを測定する掛かり代測定部３と、下枠４の室外側端部と室内側端部に当接して下枠４上に載置することで水準器５を載置するための水準器載置部６とを有するので、一つの治具を使用して障子２ａ，２ｂの上枠１との掛かり代と、下枠４の転びとを高い精度で効率よく測定でき、しかもいかなる納まりにも対応できるので、大変便利である。
また、本サッシ納まり測定治具７は、上枠１と障子２ａ，２ｂとの隙間８に差し込むことで障子２ａ，２ｂの上枠１との掛かり代Ｃを測定する掛かり代測定部３を有し、掛かり代測定部３は、先端部から末端部にかけて上下方向の厚みが段々に厚くなるように形成してあるので、掛かり代測定部３を上枠１と障子２ａ，２ｂとの隙間８に差し込むだけで、障子２ａ，２ｂの上枠１との掛かり代Ｃを高い精度で効率よく測定でき、しかもいかなる納まりにも対応できるので、大変便利である。
さらに本サッシ納まり測定治具７は、掛かり代測定部３の末端部より下方に垂下した垂下部９を有するので、垂下部９を手で持って掛かり代測定部３を上枠１と障子２ａ，２ｂの隙間８に差し入れることができ、掛かり代Ｃの測定がしやすい。
さらに本サッシ納まり測定治具７は、掛かり代測定部３の先端と垂下部９の先端とで下枠４上に載せたときに、垂下部９の上面が水準器載置部６になるので、水準器載置部６に水準器５を載せるだけで、下枠４の納まり状態を確認できる。
【００１６】
本発明は以上に述べた実施形態に限定されない。本発明のサッシ納まり測定治具の形状、材質は、適宜変更することができる。本発明のサッシ納まり測定治具は、掛かり代測定部のみを有し、水準器載置部や垂下部を有しないものであってもよい。本サッシ納まり測定治具は、上下枠に沿って摺動する障子を有するサッシ全般に用いることができ、引違いサッシの他、外動又は内動の片引きサッシにも用いることができる。
【符号の説明】
【００１７】
１  上枠
２ａ  外障子（障子）
２ｂ  内障子（障子）
３  掛かり代測定部
４  下枠
５  水準器
６  水準器載置部
７  サッシ納まり測定治具
【図１】
2017125308.tif 000003
【図２】
2017125308.tif 000004
【図３】
2017125308.tif 000005
【図４】
2017125308.tif 000006
【図５】
2017125308.tif 000007
【図６】
2017125308.tif 000008